(57)【特許請求の範囲】
【請求項１】
サイクロン真空掃除機の本体に形成され、所定の空間を有する安着部と、
前記安着部内に選択的に装着され、空気から分離された各種の異物質を集塵する集塵筒と、
前記安着部に安着される集塵筒を選択的に上向き又は下向きに移動させて、前記安着部内における集塵筒の装着及び脱去が行われるようにする着脱手段と、
を含んでおり、
前記着脱手段は、
前記安着部内の底面に少なくとも１つ以上形成され、その結合方向に沿って傾斜している突起と、
前記突起に対応する位置の集塵筒の底面に形成されて前記突起を受容し、前記突起の傾斜方向に対応して傾斜している対応溝と、
を有することを特徴とするサイクロン真空掃除機の集塵筒結合装置。
【請求項２】
サイクロン真空掃除機の本体に形成され、所定の空間を有する安着部と、
前記安着部内に選択的に装着され、空気から分離された各種の異物質を集塵する集塵筒と、
前記安着部に安着される集塵筒を選択的に上向き又は下向きに移動させて、前記安着部内における集塵筒の装着及び脱去が行われるようにする着脱手段と、
を含んでおり、
前記着脱手段は、
前記安着部の内部に沿って上下移動可能に具備される移動部と、
前記安着部内の底面に少なくとも１つ以上形成され、その結合方向に沿って傾斜している突起と、
前記突起に対応する位置の移動部の底面に形成されて前記突起を受容し、前記突起の傾斜方向に対応して傾斜している対応溝と、
を有することを特徴とするサイクロン真空掃除機の集塵筒結合装置。
【請求項３】
サイクロン真空掃除機の本体に形成され、所定の空間を有する安着部と、
前記安着部内に選択的に装着され、空気から分離された各種の異物質を集塵する集塵筒と、
前記安着部に安着される集塵筒を選択的に上向き又は下向きに移動させて、前記安着部内における集塵筒の装着及び脱去が行われるようにする着脱手段と、
を含んでおり、
前記着脱手段は、
前記安着部内の底面に少なくとも１つ以上形成され、その結合方向に沿って傾斜している突起と、
前記突起に対応する位置の集塵筒の底面に形成されて前記突起をガイドし、前記突起の傾斜方向に対応して傾斜している対応突起と、
を有することを特徴とするサイクロン真空掃除機の集塵筒結合装置。
【請求項４】
サイクロン真空掃除機の本体に形成され、所定の空間を有する安着部と、
前記安着部内に選択的に装着され、空気から分離された各種の異物質を集塵する集塵筒と、
前記安着部に安着される集塵筒が前記安着部内で回動する時、前記集塵筒を選択的に上向き又は下向きに移動させて、前記安着部内における集塵筒の装着及び脱去が行われるようにする着脱手段と、
を備えたことを特徴とするサイクロン真空掃除機の集塵筒結合装置。
【請求項５】
サイクロン真空掃除機の本体に形成され、所定の空間を有する安着部と、
前記安着部内に選択的に装着され、空気から分離された各種の異物質を集塵する集塵筒と、
前記安着部の内部に沿って上下移動可能に具備される移動部と、
前記移動部が回動する時、前記安着部に安着される集塵筒を選択的に上向き又は下向きに移動させて、前記安着部内における集塵筒の装着及び脱去が行われるようにする着脱手段と、
を備えたことを特徴とするサイクロン真空掃除機の集塵筒結合装置。
【請求項６】
前記着脱手段は、
前記安着部内の底面に少なくとも１つ以上形成され、その結合方向に沿って傾斜している突起と、
前記突起に対応する位置の集塵筒の底面に形成されて前記突起を受容し、前記突起の傾斜方向に対応して傾斜している対応溝と、
を有することを特徴とする請求項４に記載のサイクロン真空掃除機の集塵筒結合装置。
【請求項７】
前記突起は、安着部の内側底面に形成され、
前記対応溝は、前記突起の挿入の始まる側より集塵筒の底面の円周方向に沿って徐々に前記集塵筒の底面と同じ高さになり、或いは前記集塵筒の底面までには至らない程度の高さまで傾斜して形成されていることを特徴とする請求項１または請求項６に記載のサイクロン真空掃除機の集塵筒結合装置。
【請求項８】
前記突起は、安着部の底面において集塵筒の挿入の始まる側に形成され、
前記対応溝は、前記集塵筒が安着部内に完ぺきに安着される場合に前記突起が挿入されるようになっているとともに、前記突起が結合される側から前記集塵筒の底面の円周方向に沿って、徐々に集塵筒の底面と同じ高さになるように傾斜して形成され、
前記集塵筒の底面には、安着部内への集塵筒の挿入が始まる側から、対応溝の位置する側に至るまで、前記突起の移動を案内するように案内溝が形成されていることを特徴とする請求項１または請求項６に記載のサイクロン真空掃除機の集塵筒結合装置。
【請求項９】
前記着脱手段は、
前記安着部内の底面に少なくとも１つ以上形成され、その結合方向に沿って傾斜している突起と、
前記突起に対応する位置の移動部の底面に形成されて前記突起を受容し、前記突起の傾斜方向に対応して傾斜している対応溝と、
を有することを特徴とする請求項５に記載のサイクロン真空掃除機の集塵筒結合装置。
【請求項１０】
前記集塵筒は、円筒形に構成され、
前記集塵筒の安着される安着部の内部空間も、前記集塵筒の形状に対応するように円筒形に形成されていることを特徴とする請求項１乃至５のいずれかに記載のサイクロン真空掃除機の集塵筒結合装置。
【請求項１１】
前記安着部の底面は、前記安着部の内部に沿って上下移動可能なように弾力的に設置されていることを特徴とする請求項１乃至５のいずれかに記載のサイクロン真空掃除機の集塵筒結合装置。
【請求項１２】
サイクロン真空掃除機の本体に形成され、所定の空間を有する安着部と、
前記安着部内に選択的に装着され、空気から分離された各種の異物質を集塵する集塵筒と、
前記安着部に安着される集塵筒が前記安着部内に挿入される時、前記集塵筒を選択的に上向き又は下向きに移動させて、前記安着部内における集塵筒の装着及び脱去が行われるようにする着脱手段と、を備え、
前記着脱手段は、
前記安着部内の底面に少なくとも１つ以上形成され、その結合方向に沿って傾斜している突起と、
前記突起に対応する位置の集塵筒の底面に形成されて前記突起をガイドし、前記突起の傾斜方向に対応して傾斜している対応突起と、
を有することを特徴とするサイクロン真空掃除機の集塵筒結合装置。
【請求項１３】
前記安着部の上面に、集塵筒の上端縁を受容する受容部が形成され、集塵筒が安着部に固定される場合に前記受容部が安着部と集塵筒の上端との間に発生する隙間を閉鎖するようになっていることを特徴とする請求項１乃至５のいずれかに記載のサイクロン真空掃除機の集塵筒結合装置。
【発明の詳細な説明】
【０００１】
【発明の属する技術分野】
本発明は、サイクロン真空掃除機に関するもので、更に詳細には各種の異物質の集塵される集塵筒を本体と結合するための集塵筒結合構造に関する。
【０００２】
【従来の技術】
一般に、サイクロン真空掃除機とは、サイクロン作用を用いて吸い込まれる空から各種の異物質を分離して集塵するサイクロン集塵装置を真空掃除機に適用した掃除機の一種である。この種のサイクロン真空掃除機は、図１に示すように、垂直に立てることのできる本体１０と、前記本体１０の下部に結合されて塵等の各種の異物質を吸い込む吸込口体２０と、を備えている。この際、前記本体１０内の下部側では送風ファン（図示せず）がモータに軸結合されている。これにより、必要に応じて掃除機本体１０の内部に真空力を発生させる。そして、前記本体１０内の上部側には安着部１１が形成され、前記安着部１１には、吸込口体２０を介して吸い込まれた空気及び各種の異物質を相互分離して異物質だけを集塵するサイクロン集塵装置が安着される。
【０００３】
以下、前記サイクロン集塵装置を図２、図３Ａ、図３Ｂを参照して詳細に説明する。
まず、サイクロン集塵装置は、コーン形状のサイクロンボディー３１と、前記サイクロンボディー３１の上端の側面に連通されて吸込口体２０を介して空気及び塵を吸い込む空気吸込口３４と、前記サイクロンボディー３１の上端の中央に連結されて各種の異物質が分離された空気を排出する空気排出管３２と、前記サイクロンボディー３１の底部に結合されて前記空気から分離された塵が集塵される集塵筒３３と、を備えている。
【０００４】
従って、サイクロンボディー３１の内部で吸込力が発生すると、各種の塵の含まれた空気が吸い込まれる。この際、サイクロンボディー３１の周りでサイクロンボディー３１の接線方向に沿って、前記空気吸込口３４が連通されているので、サイクロンボディー３１内に流入された空気及び各種の異物質は遠心力の影響を受ける。これにより、前記空気及び各種の異物質は、サイクロンボディー３１の内壁面に沿って旋回しながら相互間の遠心力の差によって互いに分離される。すなわち、所定の質量を有する塵は、遠心力の影響を受けてサイクロンボディー３１の内壁面に沿って下降しながら集塵筒内に集塵される。そして、殆ど質量のない空気はダストほどの遠心力の影響は受けず、サイクロンボディー３１の内側中央部分で形成される上昇気流に乗って空気排出管３２を介して排出される。
【０００５】
一方、前述した過程を介して集塵筒３３内に集塵される各種の異物質が、前記集塵筒３３の最大許容集塵量に到達するようになると、集塵された異物質の外部排出並びに集塵筒の掃除を必ず行わなければならない。このため、従来は集塵筒３３をサイクロン真空掃除機の安着部１１から着脱可能に設置した。すなわち、集塵筒３３を取り扱う取っ手部３３ａの下部にフック３３ｂを弾力的に設け、安着部１１の下端に前記フックが結合されるように係止部１１ａを形成することで、集塵筒３３の下部拘束を行っていた。更に、前記安着部１１の上端には係止突起１１ｂを形成し、前記取っ手部３３ａの上部には前記係止突起１１ｂにかかれるように結合孔３３ｃを形成することで、集塵筒３３の上部拘束を行っていた。
【０００６】
従って、使用者が集塵筒３３を本体１０から脱去しようとするときには、図３Ａに示すように、図面の上方に向けて力を加えて本体１０に形成された係止部１１ａからフック３３ｂを脱去することにより、集塵筒３３の下部の拘束を解除していた。次いで、前記集塵筒３３を、図３Ｂに示すように、図面の上方に持ち上げて本体１０の係止突起１１ｂから結合孔３３ｃを脱去することにより、前記集塵筒３３の上部拘束を解除して、本体１０と集塵筒３３とを相互分離した。反対に、安着部１１内への集塵筒３３の結合過程は、前述した分離過程とは逆順になる。
【０００７】
しかし、前述したような従来の掃除機本体１０と集塵筒３３との結合構造は強制フック結合方式であり、前記集塵筒３３の着脱を行うためには、前記集塵筒３３の上部又は下部を傾ける必要がある。従って、集塵筒３３が掃除機本体１０から分離される過程で、前記集塵筒３３の内部に集塵されている各種の異物質が、前記集塵筒３３の外部へ漏出してしまうことがあった。これは、主として、集塵筒３３の上面及び本体１０の安着部１１の上面を傾斜して形成することによりもたらされる問題点であるが、前記集塵筒の着脱が行われるようにするためには仕方がなかった。これにより、集塵筒における最大集塵受容量が低減するだけでなく室内の清潔上でもひどい不具合が生じて、使用者の製品に対する信頼性を低下させる。又、集塵筒３３の着脱過程上でも、前述したように、上部拘束を解除する前に、まず集塵筒の下部拘束を解除すべきなので、集塵筒３３の着脱作業は煩わしく、使用者の多くの不便を誘発した。
【０００８】
【発明が解決しようとする課題】
本発明は、上記従来の問題点を解決するためのもので、サイクロン真空掃除機の本体からの集塵筒の着脱が円滑に行われるようにすることを目的とする。
更に、本発明は、集塵筒の形状を改善して許容集塵容量を最大化するとともに、本体からの集塵筒の着脱過程の途中で、前記集塵筒の内部に集塵されている各種の異物質が外部へ漏出してしまうことを防止することが目的である。
【０００９】
【課題を解決するための手段】
上記目的を達成するための本発明によるサイクロン真空掃除機の集塵筒結合装置は、掃除機の本体に形成され、所定の空間を有する安着部と、前記安着部内に選択的に装着され、空気から分離された各種の異物質を集塵する集塵筒と、前記安着部に安着される集塵筒を選択的に上向き又は下向きに移動させて、前記安着部内における集塵筒の装着及び脱去が行われるようにする着脱手段と、を備えている。
すなわち、本発明は、安着部内に集塵筒を結合させるための構造であって、単に前記安着部に集塵筒を挿入するだけで前記集塵筒の装着を行うことができるようにしたものである。
【００１０】
【発明の実施の形態】
以下、本発明の着脱手段による第１の実施の形態を図４〜図６Ａ、図６Ｂを参照して詳細に説明する。
図４は、本発明の第１の実施の形態によるサイクロン集塵装置の安着部と集塵筒との間で行われる着脱構造を、概略的に示す要部分解斜視図である。図５は、本発明の第１の実施の形態によるサイクロン集塵装置を正面から見た要部断面図である。
本発明の第１の実施の形態における着脱手段は、掃除機本体１００の安着部１１０内の底面に少なくとも１つの突起１１１を形成し、集塵筒３３０の底面には前記突起１１１に対応する対応溝３３１を形成する。前記突起１１１及び対応溝３３１は、相互間で結合が行われる方向に向かって、対応するように上向き或いは下向きに傾斜して形成されたものを提示する。
【００１１】
この際、安着部１１０の底面が、スプリング１１２によって弾力的に支持されることが可能となるように構成されている。これは、安着部１１０内に集塵筒３３０を装着する場合に、前記集塵筒３３０を常に支持状態に維持するためである。又、集塵筒３３０の底面の外郭部位において互いに向かい合う位置に、前記突起１１１及び対応溝３３１がそれぞれ形成されている。これは、集塵筒３３０が安着部１１０に装着される際に、前記集塵筒の底面の両側で安定的な集塵筒３３０の支持を行うためである。
【００１２】
そして、前記構成において、安着部１１０内に集塵筒３３０を安着させる過程中に、突起１１１によって集塵筒３３０の挿入が干渉を受けることがある。これにより、前記集塵筒３３０の底面には、集塵筒の挿入方向に沿って案内溝３３２が形成される。前記案内溝３３２は、安着部１１０内への集塵筒３３０の挿入が始まる側（ａ）から、前記集塵筒３３０の挿入が完了する側（ｂ）まで、延長形成されている。更に、前記案内溝３３２は、前記集塵筒３３０に形成された各対応溝３３１の部位の中で深さが最も深く形成された部分間を連結するように形成されている。すなわち、前記案内溝は、各突起１１１が対応溝３３１内で最初的に安着される部位間を相互連結するように形成されている。
【００１３】
一方、掃除機の使用の途中で集塵筒３３０に外部衝撃が加えられる場合に、前記集塵筒の底面に形成された対応溝３３１から安着部１１０の突起１１１が脱去されることがある。これに対する対応策として、対応溝３３１は、突起１１１の挿入の始まる側が前記突起１１１を完ぺきに受容することができるように深く形成され、その反対側が集塵筒３３０の底面の円周方向に沿って前記集塵筒３３０の底面までは至らない程度の高さまで傾斜して形成されている。そして、傾斜の終わる対応溝３３１の先端部位から所定の距離を有する安着溝３３３が延長形成されている。従って、安着部１１０に集塵筒３３０を完全に装着した状態で、突起１１１の流動を防止することができる。
【００１４】
又、集塵筒３３０は全体的に円筒状に構成され、前記集塵筒３３０が安着される安着部１１０の内部も、前記集塵筒の形状に対応するように円筒状に形成されている。これは、安着部１１０内における集塵筒３３０の円滑な回動を可能にして、安着部１１０及び集塵筒３３０の相互間に発生する変動を最大限に防止するためである。又、安着部１１０の上端縁には受容部１１３が形成されている。これにより、集塵筒３３０が安着部１１０内で上方へ移動した場合に、集塵筒３３０の上端縁が前記受容部１１３内に挿入されて集塵筒３３０の流動を防止することができ、安着部１１０及び集塵筒３３０の相互間に発生する隙間を塞ぐことができるようになる。
【００１５】
以下、前述した構成を有する本発明の第１の実施の形態における集塵筒の装着過程を図６Ａ、図６Ｂを参照して説明する。
まず、図６Ａに示すように、集塵筒３３０を安着部１１０内に挿入する。これにより、前記集塵筒に形成された案内溝３３２の内部に、安着部１１０に形成された突起１１１が挿入され、次いで前記集塵筒３３０の各対応溝３３１内に前記各突起１１１が配置される。このようにして安着部１１０内に集塵筒３３０が安着されると、集塵筒３３０を左側（或いは右側）方向に回動させる。この時、前記集塵筒３３０の回動は、前記集塵筒３３０の外側面に形成された取っ手部３３４を用いて簡便に行われる。これにより、図６Ｂに示すように、集塵筒３３０は、上方へ移動しながら安着部１１０内に装着された状態で固定される。
【００１６】
すなわち、集塵筒３３０の回動が行われる場合に、各対応溝３３１の内部のうち最も深さの深い部位に位置している各突起１１１が、前記各対応溝３３１から延びている安着溝３３３内へ徐々に移動することにより、集塵筒３３０が上方へ移動する。これは、各対応溝３３１と安着溝３３３との間、及び各突起１１１、を相互に対応させるように傾斜して形成することによって、可能である。更に、この時には、前記集塵筒３３０の上端縁が、安着部１１０の上端縁に沿って形成された受容部１１３内に徐々に挿入されながら、集塵筒３３０と安着部１１０との間の隙間が塞がれる。これにより、前記安着部１１０内への集塵筒３３０の装着が正確に行われ、集塵筒３３０内部の各種の異物質が掃除の途中で外部に漏出してしまうことを防止することができる。又、安着部１１０の底面はスプリング１１２によって弾力的に支持されるので、別途の力が加えられない限り、集塵筒３３０の安定的な装着が維持される。
【００１７】
一方、安着部１１０内に装着された集塵筒３３０を脱去しようとする場合には、前記集塵筒３３０の結合のために回動させた方向とは逆方向に、集塵筒を回動させる。すなわち、集塵筒３３０を図面上の右側に回動させる場合、各安着溝３３３から各突起１１１が離脱されるとともに、各対応溝３３１の傾斜面が、前記各突起１１１に沿って滑動し、前記対応溝３３１の最も深い部位に突起１１１が配置される。これにより、集塵筒３３０が下方へ移動し、前記集塵筒３３０の上端が安着部１１０の受容部１１３から離脱される。この後、前記集塵筒３３０を掃除機本体１００の外部に引っ張ることでその脱去を完了する。
【００１８】
一方、前述したような作用を行う突起１１１及び対応溝３３１の位置が、図７に示すように、集塵筒３３０の底面の両側及び安着部１１０の底面の両側となるように、突起１１１および対応溝３３１を形成してもよい。これに対する詳細な説明は省略する。
【００１９】
図８は本発明による第２の実施の形態を示している。本発明の第２の実施の形態では、安着部１１０の内側の底面に突起１１１が形成され、集塵筒３３０の底面のうち前記突起１１１に対応して対応溝３３１が形成されている。この時、前記対応溝３３１は、突起１１１の挿入の始まる側から、集塵筒３３０の底面の円周方向に沿って、長く形成されている。そして、前記対応溝３３１の内面は、集塵筒３３０の回動する方向に沿って、徐々に前記集塵筒３３０の底面と同じ高さになるまで傾斜して形成されている。
【００２０】
図９は本発明による第３の実施の形態を示している。この構成は前述した本発明の第２の実施の形態とは対照的な構成をなす。すなわち、本発明の第３の実施の形態では、安着部１１０の底面のうち集塵筒３３０の挿入が始まる部位に突起１１１が形成され、前記集塵筒３３０の底面のうち前記突起１１１の位置に対応して対応溝３３１が形成されている。この時にも、前記対応溝３３１は、突起１１１の挿入の始まる側から、集塵筒３３０の底面の円周方向に沿って、長く形成されている。また、前記対応溝３３１の内面は、集塵筒３３０が回動させられる方向に沿って、徐々に前記集塵筒３３０の底面と同じ高さになるまで傾斜して形成されている。
【００２１】
一方、前述した本発明の各実施の形態における構造は、図示してはないが、安着部１１０の底面の中央部位に突起１１１を形成し、また、対応溝３３１が前記突起１１１に対応する位置に配置されるように、集塵筒３３０の底面の中央部位に対応溝３３１を形成することができる。
【００２２】
図１０〜図１２ａ、図１２ｂは本発明による第４の実施の形態を示している。本発明の第４の実施の形態では、集塵筒３３０を回動させて安着部１１０内に装着するものでなく、別の構造により前記集塵筒３３０を上方へ移動させて安着部１１０内に装着するか、或いは前記集塵筒３３０を下方へ移動させて脱去させるように構成する。このため、本発明の第４の実施の形態では、安着部１１０の内部に集塵筒３３０を安着させて、前記安着部１１０の内部で上下移動可能となるように移動部４００を装着する。そして、移動部４００の下部背面と安着部１１０の底面との間には、前記移動部４００を選択的に上下移動させる着脱手段が設けられている。
【００２３】
この時、前記着脱手段の基本的な構成は、前述した各実施の形態における傾斜した突起１１１及び対応溝３３１を用いた着脱手段の構成と同様である。すなわち、安着部１１０内の底面には各突起１１１が相互に向かい合うよう形成され、移動部４００の底面には前記各突起１１１を受容する対応溝４１０が各々形成されている。前記各対応溝４１０の形状並びに各突起１１１の形状は、前述した第１の実施の形態と同様に、相互間における結合が行われる方向へ傾斜して形成されることが好ましい。又、上記のように構成される移動部４００の外周面には、操作部４２０が一体化して設けられており、前記移動部４００を簡便に操作することができるようになっている。
【００２４】
集塵筒３３０を安着部１１０に装着しようとする場合には、まず、前記集塵筒３３０が安着部１１０内に受納される。これにより、前記集塵筒３３０は移動部４００の上面に載せられ、この状態で操作部４２０を操作して移動部４００を一側部へ回動させる。このように移動部４００が回動すると、前記移動部４００の底面に形成された対応溝４１０も、前記移動部４００の回動方向に沿って移動しながら、突起１１１の上面を滑動して徐々に上方へ移動する。これは、移動部の回動方向に沿って徐々に前記移動部の表面と同じ高さになるように、前記対応溝４１０を形成することによって可能となる。これにより、集塵筒３３０の上端が安着部１１０の受容部１１３内に受容され、集塵筒３３０および安着部１１０の相互間における装着が完了する。
【００２５】
又、前記安着部１１０内に装着された集塵筒３３０を脱去しようとする場合には、集塵筒３３０の装着のために回動させた方向とは逆方向に、操作部を回動させる。これにより移動部４００が回動して、対応溝４１０は、前記移動部４００の回動方向に沿って移動しながら、突起１１１の上面を滑動して徐々に下方へ移動する。これにより、集塵筒３３０の上端が安着部１１０の受容部１１３内から徐々に離脱されて、集塵筒の脱去が完了する。
【００２６】
図１３、図１４は本発明による第５の実施の形態を示している。本発明の第５の実施の形態では、集塵筒３３０を単に安着部１１０内に押し込むだけで、集塵筒３３０を安着部１１０に装着することができるようになっている。これのために、本発明の第５の実施の形態では、安着部１１０内の底面に、その底面の内側に行くほど徐々に上向き傾斜している突起１１１が形成されており、安着部１１０に安着される集塵筒３３０の底面には、前記集塵筒３３０の前方に行くほど徐々に下向き傾斜している対応突起３３５が形成されているものを提示する。
【００２７】
この時、前記突起１１１及び対応突起３３５は、互いに対応する位置に形成されており、相互間での接触及び滑動により、集塵筒３３０の上方又は下方への移動が行われるようになっている。更に、集塵筒３３０の底面には一対の前記突起１１１が並んで形成されており、また、安着部１１０の底面には一対の対応突起３３５が並んで形成されている。これにより前記集塵筒３３０の安定的な装着が行われるようになっている。
【００２８】
又、本発明の第５の実施の形態では、集塵筒３３０に形成された取っ手部３３４の上側には係止輪３３４ａが弾力的に装着され、また、この位置に対応する安着部１１０の上部には係止溝１１４が形成され、集塵筒３３０が一層安定的に装着される。従って、集塵筒３３０を装着するために安着部１１０内へ前記集塵筒３３０を挿入すると、前記集塵筒３３０の底面に形成された一対の対応突起３３５は、前記安着部１１０の底面に形成された各突起１１１の上面に乗って移動する。この時、前記突起１１１が安着部１１０の内側に行くほど徐々に上向き傾斜して形成され、対応突起３３５が前記突起１１１に対称する状態で傾斜して形成されているので、前記集塵筒３３０を安着部１１０内に挿入すればするほど、前記集塵筒３３０は安着部１１０内で漸次上昇する。このような過程で集塵筒３３０の上端に弾力装着された係止輪３３４ａが安着部１１０の係止溝１１４にかかることによって、集塵筒３３０が固定される。
【００２９】
そして、前記安着部１１０内に装着された集塵筒３３０を脱去しようとする場合には、単に係止輪３３４ａを操作して、係止溝１１４による係止輪３３４ａの拘束を解除するとともに、集塵筒３３０を安着部１１０から抜き取る。これにより、集塵筒３３０が徐々に下方へ移動するとともに、安着部１１０から脱去される。この時、前記集塵筒３３０が徐々に下方へ移動することは、前記集塵筒３３０の底面に形成された対応突起３３５と、安着部１１０の底面に形成された突起１１１との、相互間における形状的な特徴のためである。すなわち、突起１１１が安着部１１０の入口側に行くほど徐々に下向傾斜して形成されているからである。
【００３０】
そして、アップライト型のサイクロン真空掃除機だけでなく、図１５に示すようなキャニスター型のサイクロン真空掃除機にも適用可能である。
【００３１】
【発明の効果】
以上説明したように、本発明のサイクロン真空掃除機の集塵筒結合装置によると、次のような効果がある。
まず、本発明では集塵筒を安着部内に装着するための操作が簡単に行われるという効果がある。又、本発明では、集塵筒の装着及び脱去を上下方向に行うので、各種の異物質が、集塵筒の上部と安着部の上部との間に形成される隙間を通って外部へ漏出してしまうことを防止することができる。これにより、集塵筒の許容集塵容量を最大化することができ、使用者の頻繁な集塵筒の掃除を減少させることができる。更に、集塵筒の脱去過程においても、集塵筒内に集塵された各種の異物質が外部へ漏出してしまうことを防止することができるので、室内の清潔を維持することができる。
従って、本発明は産業上、非常に有用に使用される。
【００３２】
以上本発明の好適な実施の形態に対して説明したが、前記実施の形態のものに限定されるわけではなく、本発明の技術思想に基づいて種々の変形又は変更が可能である。
【図面の簡単な説明】
【図１】  一般的なサイクロン真空掃除機を示す斜視図である。
【図２】  一般的なサイクロン真空掃除機の各部位の中でサイクロン集塵装置を正面から見た要部断面図である。
【図３Ａ】  一般的なサイクロン真空掃除機の安着部内に集塵筒を装着する過程を概略的に示す図２のＩ−Ｉ線上の断面図である。
【図３Ｂ】  一般的なサイクロン真空掃除機の安着部内に集塵筒を装着する過程を概略的に示す図２のＩ−Ｉ線上の断面図である。
【図４】  本発明の第１の実施の形態によるサイクロン集塵装置の安着部と集塵筒との間に行われる着脱構造を概略的に示す要部分解斜視図である。
【図５】  本発明の第１の実施の形態によるサイクロン集塵装置を正面から見た要部断面図である。
【図６Ａ】  本発明の第１の実施の形態による安着部内に集塵筒を装着する過程を概略的に示す図５のII−II線上の断面図である。
【図６Ｂ】  本発明の第１の実施の形態による安着部内に集塵筒を装着する過程を概略的に示す図５のII−II線上の断面図である。
【図７】  図４の他の形態を示す要部分解斜視図である。
【図８】  本発明の第２の実施の形態によるサイクロン集塵装置の安着部と集塵筒との間に行われる着脱構造を概略的に示す要部分解斜視図である。
【図９】  本発明の第３の実施の形態によるサイクロン集塵装置の安着部と集塵筒との間に行われる着脱構造を概略的に示す要部分解斜視図である。
【図１０】  本発明の第４の実施の形態によるサイクロン集塵装置の安着部と集塵筒との間に行われる着脱構造を概略的に示す要部分解斜視図である。
【図１１】  本発明の第４の実施の形態によるサイクロン集塵装置を正面から見た要部断面図である。
【図１２Ａ】  本発明の第４の実施の形態による安着部内に集塵筒を装着する過程を概略的に示す図１１のIII−III線上の断面図である。
【図１２Ｂ】  本発明の第４の実施の形態による安着部内に集塵筒を装着する過程を概略的に示す図１１のIII−III線上の断面図である。
【図１３】  本発明の第５の実施の形態によるサイクロン集塵装置の安着部と集塵筒との間に行われる着脱構造を概略的に示す要部分解斜視図である。
【図１４】  本発明の第５の実施の形態による安着部内に集塵筒を装着する構成を概略的に示す断面図である。
【図１５】  本発明の第５の実施の形態をキャニスター型のサイクロン真空掃除機に適用した状態を示す要部分解斜視図である。
【符号の説明】
１１０  安着部
１１１  突起
１１３  受容部
３３０  集塵筒
３３１  対応溝
３３２  案内溝
３３３  安着溝
３３４  取っ手部
４００  移動部
４１０  対応溝
４２０  操作部
【図１】
0003672871.tif 000002
【図２】
0003672871.tif 000003
【図３Ａ】
0003672871.tif 000004
【図３Ｂ】
0003672871.tif 000005
【図４】
0003672871.tif 000006
【図５】
0003672871.tif 000007
【図６Ａ】
0003672871.tif 000008
【図６Ｂ】
0003672871.tif 000009
【図７】
0003672871.tif 000010
【図８】
0003672871.tif 000011
【図９】
0003672871.tif 000012
【図１０】
0003672871.tif 000013
【図１１】
0003672871.tif 000014
【図１２Ａ】
0003672871.tif 000015
【図１２Ｂ】
0003672871.tif 000016
【図１３】
0003672871.tif 000017
【図１４】
0003672871.tif 000018
【図１５】
0003672871.tif 000019